(57)【特許請求の範囲】
【請求項１】
建造物の骨格を構成するフレームに、樹脂フィルムを張設して屋根及び／又は壁を形成した樹脂フィルム被覆建造物において、
前記樹脂フィルムの下縁部を前記フレームに固定する押え部に、より線でできたメッシュ状のシートからなる透水性シートを、その上端部は前記樹脂フィルムの内面側に位置し、下端部は前記建造物の外側に位置するように挿入したことを特徴とする樹脂フィルム被覆建造物。
【請求項２】
樹脂フィルムが透明樹脂フィルムである請求項１に記載の樹脂フィルム被覆建造物。
【請求項３】
前記押え部は、前記樹脂フィルムの上下に重なる部分に設けられており、上方に配置された樹脂フィルムの下縁部は、下方に配置された樹脂フィルムの上縁部の外側に配置されて重なっており、前記透水性シートは、その上端部が前記上方に配置された樹脂フィルムの内面側に位置し、その下端部が前記下方に配置された樹脂フィルムの外側面に位置するように、両樹脂フィルムの間に挟まれて挿入されている請求項１又は２に記載の樹脂フィルム被覆建造物。
【請求項４】
前記樹脂フィルムは、内部が袋状となった二重フィルムで形成され、この二重フィルムの内部に空気を流通させる構造をなしており、前記押え部は、前記二重フィルムの下縁部を押える部分に設けられ、前記透水性シートは、その上端部が前記二重フィルムの内部に位置し、下端部が前記建造物の外側に位置するように、前記二重フィルムの間に挟まれて挿入されている請求項１又は２に記載の樹脂フィルム被覆建造物。
【請求項５】
メッシュ状シートのメッシュの目明き寸法が１〜５０ｍｍである請求項１〜４のいずれか１つに記載の樹脂フィルム被覆建造物。
【発明の詳細な説明】
【技術分野】
【０００１】
本発明は、例えば農業用ハウス等に好適な樹脂フィルム被覆建造物に関し、特に樹脂フィルムの内面に結露した水分を効果的に建造物の外側に排出できるようにしたものに関する。
【背景技術】
【０００２】
従来から、施設園芸等の農業用ハウスとして、金属のパイプ、アングル材などを連結してフレームを作り、このフレームに樹脂フィルムを張設した建造物が知られている。この農業用ハウスにおいては、外気に触れて温度低下した樹脂フィルムの内面に、ハウス内部の暖気が接触して結露し、その水分がフィルム内面を伝って落下し、落下した水分が再び空中に蒸散するため、ハウス内を多湿にする傾向があった。このようにハウス内が多湿となると、病原菌が蔓延しやすい環境が形成されるため、結露水をハウスの外部に流出させることが望まれている。
【０００３】
このような目的から、ハウスのフィルムの内面に接触して水平方向に伸びる樋状の水受けを設け、結露して落下する水をこの水受けに受けて、水受けの端部等に連結された排水管を通してハウス外部に流出させるようにした露取り装置が知られている。
【０００４】
また、下記特許文献１には、 農業用ビニ−ルフィルムに、直径２ｍｍ以上５ｍｍ以下の水抜き兼通気孔を一種単孔又は平均直径３ｍｍ以上として複数種孔を適宜の間隔をもって開孔すると共に、当該フィルムの縦又は横の長手方向両サイドに作業縁を構成してカ−テンフィルムとしたものが開示されている。
【０００５】
更に、下記特許文献２には、施設園芸用ハウスの被覆資材（資材）が２枚以上、内側と外側とに重ね合わされている資材の継目部分（部分Ａ）において、少なくとも前記部分Ａのハウス内側の資材の上端部が、外側の資材と完全に密着することなく一定の間隔部分（部分Ｂ）を設定するように資材を被覆したことを特徴とする流滴水排水機構を具備したハウスが開示されている。
【特許文献１】特開平１１−４２０２３号公報
【特許文献２】特開平６−２０５６１３号公報
【発明の開示】
【発明が解決しようとする課題】
【０００６】
しかしながら、ハウスのフィルムの内面に接触して樋状の水受けを設けた露取り装置では、構造が大掛かりとなり、コスト高になるという問題点があった。
【０００７】
また、上記特許文献１に記載されたようなフィルムに孔を開ける構成では、この孔を通してハウス内外の空気が流通するため、ハウスによる保温効果等が減少してしまうという問題点があった。
【０００８】
更に、フレームに二重フィルムを張設してフィルム間に袋状の空間を形成し、この袋状の空間にハウス内の空気を吹き込んで保温効果を高めるようにしたハウスにおいては、上記のような孔を形成すると、空気が孔から抜けてしまうため、フィルムを緊張した状態に保持することができないという問題点があった。
【０００９】
一方、上記特許文献２に記載されたハウスにおいては、ハウス内側の資材の上端部が、外側の資材と完全に密着することなく一定の間隔部分を設定するように資材を被覆するため、上記間隔部分から通気がなされて保温効果が弱められてしまうと共に、二重フィルムを張設してフィルム間に袋状の空間を形成する場合には、袋状の空間内の空気が上記間隔部分から抜けてしまうため、フィルムを緊張した状態に保持することができないという問題点があった。
【００１０】
また、ハウス内側の被覆資材と外側の被覆資材とが、一定の間隔部分を設定するように重ね合わされているため、当該部分でフレームに固定した場合、固定部分の保持強度が小さくなり、建造物の耐風強度が小さくなるという問題があった。
【００１１】
したがって、本発明の目的は、保温効果を損なうことなく、フィルム内面に生じる結露水を外部に放出することができるようにした樹脂フィルム被覆建造物を提供することにある。
【課題を解決するための手段】
【００１２】
上記目的を達成するため、本発明は、建造物の骨格を構成するフレームに、樹脂フィルムを張設して屋根及び／又は壁を形成した樹脂フィルム被覆建造物において、前記樹脂フィルムの下縁部を前記フレームに固定する押え部に、より線でできたメッシュ状のシートからなる透水性シートを、その上端部は前記樹脂フィルムの内面側に位置し、下端部は前記建造物の外側に位置するように挿入したことを特徴とする樹脂フィルム被覆建造物を提供するものである。
【００１３】
上記発明によれば、フィルム内面で結露した水分は、フィルム内面を伝わって下方に流れ、その下縁部に達すると、上記透水性シートに含浸される。透水性シートは、押え部によってフィルムと一緒に押えられているので、上記吸収した水分を毛細管現象によって建造物の内部から外側へ移動させ、建造物の外側に排出させることができる。また、透水性シートがより線でできたメッシュ状のシートからなるため、透水性シートを樹脂フィルムと一緒に押え部材によって押えたとき、より線が潰れずに微細な隙間を形成するので、毛細管現象を良好に生じさせることができ、樹脂フィルムの内面を流下してくる水分を効果的に建造物の外側に流出させることができる。
【００１４】
本発明の好ましい態様によれば、前記押え部は、前記樹脂フィルムの上下に重なる部分に設けられており、上方に配置された樹脂フィルムの下縁部は、下方に配置された樹脂フィルムの上縁部の外側に配置されて重なっており、前記透水性シートは、その上端部が前記上方に配置された樹脂フィルムの内面側に位置し、その下端部が前記下方に配置された樹脂フィルムの外側面に位置するように、両樹脂フィルムの間に挟まれて挿入されている。
【００１５】
上記態様によれば、上方に配置された樹脂フィルムの内面で結露した水分が落下してくると、上記透水性シートの上端部に含浸され、毛細管現象によって透水性シートの下端部に移行し、下方に配置された樹脂フィルムの外側面に流下するので、結露した水分を効果的に建造物の外側に排出させることができる。
【００１６】
本発明の更に好ましい態様によれば、前記樹脂フィルムは、内部が袋状となった二重フィルムで形成され、この二重フィルムの内部に空気を流通させる構造をなしており、前記押え部は、前記二重フィルムの下縁部を押える部分に設けられ、前記透水性シートは、その上端部が前記二重フィルムの内部に位置し、下端部が前記建造物の外側に位置するように、前記二重フィルムの間に挟まれて挿入されている。
【００１７】
上記態様によれば、二重フィルムに流通される空気によって二重フィルムが緊張状態となり、建造物の保温性を高めることができる。また、二重フィルムの内面に結露して落下する水分は、二重フィルムの下縁部において、上記透水性シートの上端部に含浸され、毛細管現象によって透水性シートの下端部に移行し、二重フィルムの外側に流出させることができる。
【００２０】
本発明の更に好ましい態様によれば、メッシュ状シートのメッシュの目明き寸法が１〜５０ｍｍである。
【００２１】
上記態様によれば、透水性シートが、押え部材によって強く挟まれても、線材どうしの間隙が潰れず、毛細管現象を良好に生じさせて水分を透過することができる。
【００２２】
本発明の好ましい態様によれば、樹脂フィルムは、透明樹脂フィルムからなる。
【００２３】
上記態様によれば、樹脂フィルムの光の透過が必要な用途において、光の透過性を良好に持続できる。
【発明の効果】
【００２４】
本発明によれば、樹脂フィルム被覆建造物のフィルム内面で結露した水分が、フィルム内面を伝わって下方に流れ、その下縁部に達すると、上記透水性シートに含浸され、毛細管現象によって透水性シートの下端部に達し、建造物の内部から外側へ移動して排出させることができるので、簡単な構造で、保温効果を損なうことなく、フィルム内面に生じる結露水を効果的に外部に放出することができる。また、透水性シートによって水分を排出させるようにしたので、上下に重なり合うフィルムどうしの間に排水のための間隔を設ける必要がなく、フィルム下縁部をフレームに圧接させて固定できるため、前記固定部におけるフィルムの保持強度と良好な水の排出性を両立できる。
【発明を実施するための最良の形態】
【００２５】
図１〜７には、本発明による樹脂フィルム被覆建造物の一実施形態である農業用ハウス（温室）が示されている。
【００２６】
図１〜３に示すように、このハウス１０は、金属パイプ、金属のアングル材等で形成されたフレーム１１を有している。フレーム１１は、棟木１１ａ、軒桁１１ｂ、垂木１１ｃ等で構成される屋根部分と、柱１１ｄ、間柱１１ｅ、胴縁１１ｆ、根太１１ｇ等で構成された壁部分とを有している。そして、このフレーム１１の外周に、透明樹脂フィルム２０が張設されてハウス１０が構成されている。また、図１に示すような連棟式の場合には、屋根１２と屋根１２との間に谷部１３が形成されている。屋根１２の下方は壁１４をなしている。なお、フレーム１１としては、上記のような切妻式の屋根を有するものに限定されることはなく、例えば公知のアーチ型の屋根を有するものであってもよい。
【００２７】
樹脂フィルムとしては、例えば、ＰＶＣ（ポリ塩化ビニル）フィルム、ＰＥ（ポリエチレン）フィルム、ＰＥＴ（ポリエチレンテレフタレート）フィルム、含フッ素樹脂系フィルム及びＰＶＡｃ（ポリ酢酸ビニル）フィルム等であり、中でも、ＰＶＣフィルム、ＰＥＴフィルム及び含フッ素樹脂系フィルムが好ましく、特に含フッ素樹脂系フィルムが好ましい。
【００２８】
ここで「含フッ素樹脂」とは、フッ素を含むオレフィンの重合によって得られる合成樹脂を総称するものであり、本発明では一般にフッ素含有量が４５質量％以上、特に５０質量％以上のものが好適に使用される。そのようなフッ素樹脂としては、例えばエチレン−テトラフルオロエチレン系共重合体、エチレン−クロロトリフルオロエチレン系共重合体、ヘキサフルオロプロピレン−テトラフルオロエチレン系共重合体、パーフルオロアルキルビニルエーテル−テトラフルオロエチレン系共重合体、ポリフッ化ビニリデン、ポリフッ化ビニル等が挙げられ、本発明では、これらのいずれでも使用可能であるが、中でも、エチレン−テトラフルオロエチレン系共重合体が好適である。
【００２９】
エチレン−テトラフルオロエチレン系共重合体は、エチレン及びテトラフルオロエチレンを主体とし（エチレン／テトラフルオロエチレンのモル比は一般に４０／６０〜６０／４０にある）、そして必要により、これに少量（通常１０モル％以下）の第３のコモノマー成分を共重合させたものであり、本発明では殊に、エチレン／テトラフルオロエチレンの含有モル比が４０／６０〜６０／４０、好ましくは４５／５５〜５５／４５の範囲内にあり、且つ式ＣＨ2＝ＣＨ−ＣnＦ2n+1（ここで、nは２〜１０の整数である）で示されるパーフルオロアルキルビニルモノマー単位（例えば、ＣＨ2＝ＣＨ−Ｃ4Ｈ9またはＣＨ2＝ＣＨ−Ｃ6Ｈ13から誘導される単位）の含有量が０.１〜１０モル％、好ましくは０.３〜５モル％の範囲内にあるエチレン−テトラフルオロエチレン系共重合体が好適に使用される。
【００３０】
このエチレン−テトラフルオロエチレン系共重合体はそれ自体既知のものであり、例えば特公昭５９−５０１６３号公報に記載の方法で製造することができ、また、市販品として旭硝子（株）より「アフロンＣＯＰ」なる商品名で市販されているものを使用することもできる。以上に述べたフッ素樹脂からのフィルムの成形はそれ自体公知の方法に従い、例えば押出成形法、インフレーション成形法等により行なうことができる。
【００３１】
樹脂フィルムの厚さは、１０〜７００μｍが好ましく、２０〜５００μｍがより好ましく、４０〜３００μｍが更に好ましい。
【００３２】
透明樹脂フィルム２０は、例えば屋根１２から壁１４に移る軒桁１１ｂ等で、上下のフィルム２０ａ、２０ｂの継ぎ目が押え部材３０によって固定されている。また、壁１４の下端の根太１１ｇ等において、下方のフィルム２０ｂの下端縁が同じく押え部材３０によって固定されている。
【００３３】
軒桁１１ｂで上下のフィルム２０ａ、２０ｂを押える部分について説明すると、図４，５に示すように、この押え部材３０は、軒桁１１ｂ等に固定される固定板３１と、この固定板３１に嵌め付けられる押え板３２とで構成されている。固定板３１は、細長い板状をなす基板部３１ａと、コ字状に折曲された両側部３１ｂと、その両側部３１ｂどうしの端部を更に内側に屈曲させた端部３１ｃとで構成されている。押え板３２は、細長い板状をなす基板部３２ａと、丸め状に縁加工された一側辺部３２ｂと、Ｌ字状に折曲加工された他側辺部３２ｃとを有している。他側辺部３２ｃは、基板部３２ａの一方の面側に鋭角状に折曲された後、基板部３２ａと平行に外側に向けて再度折曲された形状をなし、その先端は、上記面とは反対側に突出するように丸め状に縁加工されている。
【００３４】
そして、上方のフィルム２０ａの下縁部と、下方のフィルム２０ｂの上縁部との間に、透水性シート４０を挟み、これら３枚のシートを上記固定板３１と押え板３２とで挟んで固定する。この場合、上方のフィルム２０ａの下縁部が最も外側に位置し、その内側に透水性シート４０が位置し、更にその内側に下方のフィルム２０ｂの上縁部が位置するように配置する。また、透水性シート４０は、その上端部が上方のフィルム２０ａの内面側に位置し、下端部が下方のフィルム２０ｂの外面側に位置する。
【００３５】
押え板３２は、上記一側辺３２ｂを上記固定板３１の一側辺部３１ｂの折曲部内側に当接させ、他側辺３１ｃの上記折曲部の裏面側に、上記固定板３１の他方の側辺部３１ｂを当接させて、押え板３２を押し込むことにより、固定板３１に嵌合させることができる。
このとき、固定板３１と押え板３２との間に、上記上下のフィルム２０ａ、２０ｂと、透水性シート４０とが挟まれて固定される。
【００３６】
図５に示すように、透水性シート４０は、その上端が上方のフィルム２０ａの内側、すなわち、ハウス１０の室内側に位置し、その下端が下方のフィルム２０ｂの外側、すなわち、ハウス１０の室外側に位置している。その結果、上方のフィルム２０ａの内面で結露して落下する水分Ｗは、透水性シート４０の上端部から吸水されて、毛細管現象によって浸透し、透水性シート４０の下端部から落下する。透水性シート４０の下端は、上記のようにハウス１０の室外側に位置しているので、上記結露した水分を室外に放出することができる。なお、この実施形態の場合、上記透水性シート４０は、押え部材３０の全長に渡って帯状に配置されていることが好ましい。
【００３７】
透水性シート４０としては、押え部材３０によって押えられた状態で、水分を浸透させて室外に放出できる機能を有するものであればよく、特には限定されないが、合成樹脂線材（たとえば、ポリエチレン樹脂線材。）、ガラス繊維、カーボン繊維等で形成された織布、不織布等が好ましく採用でき、合成樹脂線材のより線で形成された網状シートが特に好ましく採用される。このようなシートとしては、農業用の防風網、例えば「モリカ防風網」（商品名、森下株式会社製）などを使用することができる。
【００３８】
この透水性シート４０は、図６に示すように、太さ０．０５〜０．７程度の合成樹脂線材４１をよって形成したより線４２を、目明き寸法（隣り合う、より線同士の間隔）１〜５０ｍｍ程度でラッセル編み（絡み編み）したメッシュ状シートである。このようなより線４２からなる透水性シート４０は、押え部材３０によって強く挟まれても、線材４１どうしの間隙が潰れず、毛細管現象を良好に生じさせて水分を透過することができる。より好ましい目明き寸法は、１〜２５ｍｍである。
【００３９】
図７には、屋根１２に張設された透明樹脂フィルム２０の下縁部を、屋根１２と屋根１２との間に形成された谷部１３において、押え部材３０で固定した構造を示している。この場合、谷部１３には、樋１５が配置されている。そして、屋根１２を覆う透明樹脂フィルム２０の下縁部は、この樋１５の両側に配置された押え部材３０によって固定されている。このとき、上記透水性シート４０がフィルム２０の内側に配置され、透水性シート４０の上端は、押え部材３０の上方に突出して室内側に配置され、下端は、押え部材３０の下方に突出して樋１５上に配置されている。
【００４０】
したがって、図７の態様では、屋根１２に張られたフィルム２０の内面に結露して落下する水分が、押え部材３０の上方にて透水性シート４０に吸水され、透水性シート４０内を毛細管現象によって浸透し、透水性シート４０の下端から樋１５上に放出される。その結果、ハウス１０の屋根１２のフィルム２０内面で結露した水分を、室外側に移動させて樋１５上に放出させることができる。なお、樋１５に集められた水分は、樋１５に沿っていずれかの方向に移動し、樋１５の端部に配置された排水管を通して放出される。
【００４１】
なお、透水性シート４０は、根太１１ｇに沿って配置された押え部材３０の部分にも挿入されており、壁１４に張られた透明樹脂フィルム２０の内面で結露して落下する水分を、根太１１ｇに沿って配置された押え部材に挿入した透水性シート４０を通して、室外に放出できるようになっている。
【００４２】
図８〜１１には、本発明を、二重フィルムで被覆された農業用ハウスに適用した他の実施形態が示されている。
【００４３】
この農業用ハウス１０ａでは、フレーム１１の外側に、二重フィルム２１，２２が張設されている。二重フィルム２１、２２は、それらの端縁を押え部材３０で押えられて、それらの間が袋状の空間２３となっている。
【００４４】
図１１に示すように、ハウス１０ａ内には、ブロア５０が設置され、このブロア５０は、ホース５１を介して配管５２に連結されている。そして、配管５２にところどころに複数の空気供給管５３が連結され、この空気供給管５３の先端が室内側のフィルム２２を通して袋状の空間２３に挿入されている。なお、図８に示すように、室内側のフィルム２２には、供給された空気を室内側に排出する排気管５４が接続されている。
【００４５】
したがって、ブロア５０によって送風されたハウス１０ａ内の空気（暖気）は、ホース５１、配管５２、空気供給管５３を通して、二重フィルム２１，２２間の袋状の空間２３内に吹き込まれ、二重フィルム２１，２２を緊張状態に膨らませた後、排気管５４を通してハウス１０ａ内に戻されるようになっている。このような二重フィルム２１，２２を張設することにより、ハウス１０ａ内の保温効果を更に高めることができる。
【００４６】
しかしながら、このようなハウス１０ａにおいては、特に外側の二重フィルム２１の内面で結露が生じ、その水分が二重フィルム２１，２２の下縁部に溜まるという問題があった。更に、この溜まった水によってフィルム内で藻が発生し、二重フィルム２１、２２が透明樹脂フィルムである場合、光の透過が妨げられる可能性もあった。
【００４７】
そこで、本発明では、二重フィルム２１，２２の下縁部に、短冊状の透水性シート４０を所定間隔で挟んでいる。すなわち、図９に示すように、例えば軒桁１１ｂに部分においては、上方の二重フィルム２１ａ、２２ａと、下方の二重フィルム２１ｂ、２２ｂとを、押え部材３０によって押えて固定している。このとき、上方の二重フィルム２１ａ、２２ａの下縁部が、下方の二重フィルム２１ｂ、２２ｂの上縁部よりも外側に位置するように重ね合わせ、かつ、上方の二重フィルム２１ａ、２２ａの間隙に、透水性シート４０を挟み込んで、それらを押え部材３０の固定板３１と押え板３２とで挟んで固定する。その結果、透水性シート４０の上端部は、上方の二重フィルム２１ａ、２２ａの間に配置され、下端部は、上方の二重フィルム２１ａ、２２ａから抜け出て、下方の二重フィルム２１ｂ、２２ｂの外側に位置している。
【００４８】
したがって、上方の二重フィルム２１ａ、２２ａの内部、特にフィルム２１ａの内面で結露して落下する水分が、二重フィルム２１ａ、２２ａの下端部に達すると、透水性シート４０の上端部に吸水され、毛細管現象によって透水性シート４０内を浸透して、透水性シート４０の下端部からハウス１０ａの室外に放出される。この場合、結露した水分が二重フィルム２１ａ、２２ａの下端部にある程度溜まると横方向に広がるため、上記透水性シート４０は、押え部材３０の全長に渡って配置される必要はなく、この実施形態で示すように、短冊状にしたものを所定間隔で配置するだけでよい。
【００４９】
なお、上記透水性シート４０は、根太１１ｇの部分に配置された押え部材３０にも配置されている。そして、壁１３の二重フィルム２１ｂ、２２ｂ内に結露した水分を、それらの下端部から放出できるようにしている。
【実施例】
【００５０】
実施例１
図８〜１１に示した二重フィルム２１，２２を有する農業用ハウス１０ａにおいて、軒桁１１ｂ及び根太１１ｇに配置された押え部材３０に、３０ｃｍ角の透水性シート４０を２００ｃｍ間隔で挟み込んだ。
【００５１】
使用した透水性シートは、「モリカ防風網」（商品名、森下株式会社製）であり、太さ３３０ｄｔｘ（３００デニール）のポリエチレン製の糸を用い、縦糸２本、横糸３本とし、打ち込み（縦糸）１７コース／インチ（目明き寸法：１．５ｍｍ）で、ラッセル編（からみ編）したメッシュシートである。
【００５２】
上記ハウス１０ａのある区画の二重フィルム２１，２２内に、１リットルの水を流し込んだところ、それらの下端部に配置された上記透水性シート４０を通して、水が室外に流出し、わずか１０秒間で排水することができた。
【００５３】
比較例１
上記と同じ農業用ハウス１０ａであって、上記透水性シート４０を配置しないものを使用し、ハウス１０ａ内でしだ類を栽培する。その結果、二重フィルム２１，２２内で結露した水分が下端部に溜まり、高さ５〜１０ｃｍ程度になる。そこから藻や、カビ類が発生し、徐々に太陽光線が遮断され、栽培に支障を来たし、しだ類の品質が低下して減収する。
【００５４】
比較例２
比較例１と同様に、上記と同じ農業用ハウス１０ａであって、上記透水性シート４０を配置しないものを使用し、ハウス１０ａ内でイチゴを栽培する。その結果、比較例１と同様に、二重フィルム２１，２２内で結露した水分が下端部に溜まり、そこから藻や、カビ類が発生して、徐々に太陽光線が遮断され、イチゴの品質が低下して減収する。
【産業上の利用可能性】
【００５５】
本発明は、例えば農業用ハウス、展示場用ハウスなどの樹脂フィルムで被覆した建造物に適用することができる。
【図面の簡単な説明】
【００５６】
【図１】本発明を農業用ハウスに適用した一実施形態を示す斜視図である。
【図２】同農業用ハウスの正面図である。
【図３】同農業用ハウスの側面図である。
【図４】同農業用ハウスにおける押え部材によるフィルム押え構造を示す斜視図である。
【図５】同フィルム押え構造の断面図である。
【図６】同押え部材においてフィルム間に挟まれる透水性シートの一例を示す説明図である。
【図７】同農業用ハウスにおける谷部の構造を示す斜視図である。
【図８】本発明を農業用ハウスに適用した他の実施形態を示す正面図である。
【図９】同農業用ハウスにおける押え部材によるフィルム押え構造を示す断面図である。
【図１０】同農業用ハウスの側面図である。
【図１１】同農業用ハウスの二重フィルム内への空気吹込み装置を示す説明図である。
【符号の説明】
【００５７】
１０、１０ａ  農業用ハウス
１１  フレーム
２０、２０ａ、２０ｂ、２１ａ、２１ｂ、２２ａ、２２ｂ  透明樹脂フィルム
３０  押え部材
３１  固定板
３２  押え板
４０  透水性シート
４１  糸
４２  より線
【図１】
0004739740.tif 000002
【図２】
0004739740.tif 000003
【図３】
0004739740.tif 000004
【図４】
0004739740.tif 000005
【図５】
0004739740.tif 000006
【図６】
0004739740.tif 000007
【図７】
0004739740.tif 000008
【図８】
0004739740.tif 000009
【図９】
0004739740.tif 000010
【図１０】
0004739740.tif 000011
【図１１】
0004739740.tif 000012